(57)【要約】【課題】折り畳みおよび展開が行ない易く一体性に対する信頼性が高い敷きマットを備える寝具を提供する。【解決手段】寝具１００は、敷きマット１０１と敷きマットカバー１１０とを備えて構成されている。敷きマット１０１は、６つの敷きマット小片１０２を個別に収容する収容部１０４を有した敷きマット小片保持袋１０３に保持されている。敷きマット小片保持袋１０３は、互いに隣接する２つの収容部１０４間に連結部１０６を備えている。連結部１０６は、屈曲自在に形成されて敷きマット小片１０２を隣接する敷きマット小片１０２上に折り返して重ねることができる長さに形成されている。敷きマットカバー１１０は、６つの敷きマット小片１０２を平面的に互いに密着させた状態で収容できる大きさに形成されている。【選択図】  図１
2019170758.tif 000002
【特許請求の範囲】
【請求項１】
就寝する就寝者の下方に敷かれて同就寝者を下方から支持する敷きマットと、
前記敷きマットを覆う敷きマットカバーとを備え、
前記敷きマットは、
板状に形成された複数の敷きマット小片と、
前記複数の敷きマット小片を収容する敷きマット小片保持袋とを有し、
前記敷きマット小片保持袋は、
前記複数の敷きマット小片を平面的に配置した状態でそれぞれ個別に収容する収容部と、
互いに隣接する２つの前記収容部間に屈曲自在に形成されて同２つの収容部間の長さが一方の前記収容部内の前記敷きマット小片を他方の前記収容部内の前記敷きマット小片の表裏のどちらの面上にも折り返して重ねることができる長さに形成された連結部とを有し、
前記敷きマットカバーは、
前記複数の敷きマット小片を平面状に互いに密着させた配置状態の前記敷きマットを収容可能な大きさに形成されていることを特徴とする寝具。
【請求項２】
請求項１に記載した寝具において、
前記敷きマット小片保持袋は、
メッシュ生地で構成されていることを特徴とする寝具。
【請求項３】
請求項１または請求項２に記載した寝具において、
前記敷きマット小片保持袋における前記収容部は、
前記複数の敷きマット小片ごとに同各敷きマット小片の周囲を閉塞して構成されており、
前記敷きマット小片保持袋における前記連結部は、
互いに隣接する前記敷きマット小片間において屈曲性に硬軟がなく一様に形成されていることを特徴とする寝具。
【請求項４】
請求項１ないし請求項３のうちのいずれか１つに形成した寝具において、
前記敷きマットは、
前記就寝者の身長方向に３分割かつ同就寝者の幅方向に２分割されて６つの前記複数の敷きマット小片で構成されていることを特徴とする寝具。
【請求項５】
請求項１ないし請求項４のうちのいずれか１つに形成した寝具において、さらに、
前記複数の敷きマット小片を積み重ねた状態の前記敷きマットを収容可能な保管袋を備えていることを特徴とする寝具。
【請求項６】
請求項１ないし請求項５のうちのいずれか１つに形成した寝具において、
前記敷きマット小片保持袋は、
前記収容部が少なくとも３つ以上設けられており、
前記３つ以上の各収容部うちで互いに隣接する２つの前記収容部を分離する分割部を有しつつ前記３つ以上の各収容部のすべてが前記連結部を介して一体的に繋がっていることを特徴とする寝具。
【発明の詳細な説明】
【技術分野】
【０００１】
本発明は、就寝する就寝者の下方に敷かれて同就寝者の全面を下方から支持する敷きマットが敷きマットカバー内に収容された寝具に関する。
【背景技術】
【０００２】
従来から、就寝する就寝者の下方に敷かれて同就寝者の全面を下方から支持するマットレスを備えた寝具がある。例えば、下記特許文献１には、１つのマットレスに切込部分と切断部分とを設けることで小さく折り畳むことができる折り畳みマットレスが開示されている。
【先行技術文献】
【特許文献】
【０００３】
【特許文献１】実用新案登録第３１８６８５６号公報
【０００４】
しかしながら、上記特許文献１に記載されたマットレスにおいては、マットレスにおける右側半分と左側半分とが長手方向の長さの１／４の長さの切込部分のみで繋がっているため平面状に展開した際には右側半分と左側半分とを粘着テープで貼り合せる作業が煩雑であるとともに使用中における粘着テープの剥がれも懸念され、折り畳み状態を含めてマットレスの一体性に対する信頼性が低いという問題がある。
【発明の概要】
【０００５】
本発明は上記問題に対処するためなされたもので、その目的は、折り畳みおよび展開が行ない易く一体性に対する信頼性が高い敷きマットを備える寝具に関する。
【０００６】
上記目的を達成するため、本発明の特徴は、就寝する就寝者の下方に敷かれて同就寝者を下方から支持する敷きマットと、敷きマットを覆う敷きマットカバーとを備え、敷きマットは、板状に形成された複数の敷きマット小片と、複数の敷きマット小片を収容する敷きマット小片保持袋とを有し、敷きマット小片保持袋は、複数の敷きマット小片を平面的に配置した状態でそれぞれ個別に収容する収容部と、互いに隣接する２つの収容部間に屈曲自在に形成されて同２つの収容部間の長さが一方の収容部内の敷きマット小片を他方の収容部内の敷きマット小片の表裏のどちらの面上にも折り返して重ねることができる長さに形成された連結部とを有し、敷きマットカバーは、複数の敷きマット小片を平面状に互いに密着させた配置状態の敷きマットを収容可能な大きさに形成されていることにある。
【０００７】
このように構成した本発明の特徴によれば、寝具は、敷きマットを構成する複数の敷きマット小片を平面状に配置した状態と互いに重ねることができる状態とで相互に変形可能に収容する敷きマット小片保持袋と、複数の敷きマット小片を平面状に配置した状態で収容可能な敷きマットカバーとを備えているため、折り畳みおよび展開が行ない易く一体性に対する信頼性を向上させることができる。
【０００８】
また、本発明の他の特徴は、前記寝具において、敷きマット小片保持袋は、メッシュ生地で構成されていることにある。
【０００９】
このように構成した本発明の特徴によれば、寝具は、敷きマット小片保持袋がメッシュ生地で構成されて屈曲させ易いため、敷きマット小片保持袋に収容された複数の敷きマット小片の展開および折り畳みが行ない易く作業性を向上させることができる。
【００１０】
また、本発明の他の特徴は、前記寝具において、敷きマット小片保持袋における収容部は、複数の敷きマット小片ごとに同各敷きマット小片の周囲を閉塞して構成されており、敷きマット小片保持袋における連結部は、互いに隣接する敷きマット小片間において屈曲性に硬軟がなく一様に形成されていることにある。
【００１１】
このように構成した本発明の特徴によれば、寝具は、敷きマット小片保持袋における収容部が複数の敷きマット小片ごとに周囲を閉塞して構成されているため敷きマット小片が敷きマット小片保持袋内で移動し難いとともに、連結部が互いに隣接する敷きマット小片間において屈曲性に硬軟がなく硬さ（または軟らかさ）が一様に形成されているため折り畳みおよび展開が行い易く展開および折り畳みの作業性を向上させることができる。
【００１２】
また、本発明の他の特徴は、前記寝具において、敷きマットは、就寝者の身長方向に３分割かつ同就寝者の幅方向に２分割されて６つの複数の敷きマット小片で構成されていることにある。
【００１３】
このように構成した本発明の特徴によれば、寝具は、敷きマットが就寝者の身長方向に３分割かつ同就寝者の幅方向に２分割されて６つの複数の敷きマット小片で構成されているため、折り畳みおよび展開の各作業の作業性が良く折り畳んだ状態および展開した状態で扱い易くすることができる。また、本発明に係る寝具においては、６つの敷きマット小片を積み重ねることで輸送業者による輸送依頼時により小さな荷物サイズ料金で送ることができ輸送コストを下げることができる。なお、敷きマットは、就寝者の身長方向に４分割以上かつ同就寝者の幅方向に３分割以上されていてもよいことは当然である。すなわち、敷きマットは、就寝者の身長方向または幅方向に少なくとも２分割以上されていればよい。
【００１４】
また、本発明の他の特徴は、前記寝具において、さらに、複数の敷きマット小片を積み重ねた状態の敷きマットを収容可能な保管袋を備えていることにある。
【００１５】
このように構成した本発明の特徴によれば、寝具は、さらに、複数の敷きマット小片を積み重ねた状態の敷きマットを収容可能な保管袋を備えているため、敷きマット小片が積み重ねられた状態の敷きマットの保管および輸送時に敷きマットが展開することを防止して保管および輸送を行い易くすることができるとともに、保管および輸送時における汚損を防止することができる。
【００１６】
また、本発明の他の特徴は、前記寝具において、敷きマット小片保持袋は、収容部が少なくとも３つ以上設けられており、３つ以上の各収容部うちで互いに隣接する２つの収容部を分離する分割部を有しつつ同３つ以上の各収容部のすべてが連結部を介して一体的に繋がっていることにある。
【００１７】
このように構成した本発明の特徴によれば、寝具は、敷きマット小片保持袋における３つ以上の各収容部うちで互いに隣接する２つの収容部の一部の収容部間に両者を分離する分割部を有しつつ同３つ以上の各収容部のすべてが連結部を介して一体的に繋がっているため、互いに隣接する全ての収容部が連結部によって連結されている場合に比べて折り畳みおよび展開の各作業を行い易くして作業性を向上させることができるとともに重量も軽くすることができる。
【図面の簡単な説明】
【００１８】
【図１】本発明の一実施形態に係る寝具の外観構成の概略を示す斜視図である。
【図２】図１に示した寝具の内部に設けられる敷きマットを展開した状態の外観構成の概略を示す斜視図である。
【図３】図２に示した敷きマットを構成する敷きマット小片の外観構成の概略を示す斜視図である。
【図４】図２に示した敷きマットの内部構成の一部の概略を模式的に示す一部断面図である。
【図５】図２に示した敷きマットを身長方向に沿って２つ折りにした状態の外観構成の概略を示す斜視図である。
【図６】図２に示した敷きマットにおける各敷きマット小片を密着させて集合させた状態の外観構成の概略を示す斜視図である。
【図７】図２に示した敷きマットにおける各敷きマット小片を積み重ねた状態の外観構成の概略を示す斜視図である。
【図８】図７に示した敷きマットを保持袋内に収容した状態の外観構成の概略を示す斜視図である。
【図９】本発明の変形例に係る寝具の外観構成の概略を示す斜視図である。
【図１０】本発明の変形例に係る敷きマット小片保持袋の外観構成の概略を示す斜視図である。
【発明を実施するための形態】
【００１９】
以下、本発明に係る寝具の一実施形態について図面を参照しながら説明する。図１は、本発明に係る寝具１００の外観構成の概略を示す斜視図である。また、図２は、図１に示した寝具１００の内部に設けられる敷きマット１０１の外観構成の概略を示す斜視図である。なお、本明細書において参照する図は、本考案の理解を容易にするために一部の構成要素を誇張して表わすなど模式的に表している。このため、各構成要素間の寸法や比率などは異なっていることがある。この寝具１００は、仰臥または横臥などの臥位の姿勢で就寝する就寝者となる使用者（図示せず）の身体の全面を下方から支持する敷布団である。
【００２０】
（寝具１００の構成）
寝具１００は、主として、敷きマット１０１および敷きマットカバー１１０を備えて構成されている。敷きマット１０１は、敷きマットカバー１１０内に収容された状態で臥位の姿勢の使用者の身体の下に敷かれて同身体を下方から支持するための部品であり、臥位の姿勢の使用者よりも平面視で大きな面積の板状体に構成されている。本実施形態においては、敷きマット１０１は、使用者の身長方向である長手方向の長さが１９６ｃｍ、同長手方向に直交する幅方向の長さが９４ｃｍの平面視で長方形状に形成されている。この敷きマット１０１は、詳しくは図２に示すように、主として、敷きマット小片１０２と敷きマット小片保持袋１０３とで構成されている。なお、図１においては、敷きマット小片保持袋１０３を二点鎖線で示している。
【００２１】
敷きマット小片１０２は、図３に示すように、敷きマット小片保持袋１０３内に収容された状態で臥位の姿勢の使用者の身体を弾性的に受け止める部品であり、弾性体を平面視で長方形状の板状に形成して構成されている。本実施形態においては、敷きマット小片１０２は、発泡させたウレタン樹脂を長手方向の長さが６５ｃｍ、幅方向の長さが４７ｃｍ、厚さが３ｃｍの平面視で長方形状に形成して構成されている。この敷きマット小片は、敷きマット小片保持袋１０３内に複数（本実施形態においては、６つ）設けられている。
【００２２】
敷きマット小片保持袋１０３は、複数の敷きマット小片１０２を保持する部品であり、柔軟性のある軟らかい生地を袋状に形成されている。本実施形態においては、敷きマット小片保持袋１０３は、平面視で長方形状に延びる２枚のメッシュ生地からなる第１表面生地１０３ａおよび第２表面生地１０３ｂを互いに重ねて一体化した袋状に形成されている。この敷きマット小片保持袋１０３は、複数の敷きマット小片１０２を各敷きマット小片１０２ごとに収容する収容部１０４および互いに隣接する収容部１０４同士を繋ぐ連結部１０６を備えて構成されている。
【００２３】
収容部１０４は、図４に示すように、敷きマット小片１０２を個別に収容する部分であり、敷きマット小片１０２を挟む第１表面生地１０３ａと第２表面生地１０３ｂとを縫合して構成されている。この場合、第１表面生地１０３ａおよび第２表面生地１０３ｂは、敷きマット小片１０２の外周面に密着するように縫合されて敷きマット小片１０２の周囲を縫合線からなる接合部１０５によって閉塞している。また、接合部１０５は、敷きマット小片１０２の厚さ方向の中央部に対向する位置に形成されている。この収容部１０４は、６つの敷きマット小片１０２ごとにそれぞれ連結部１０６からなる隙間を介してそれぞれ形成されている。本実施形態においては、収容部１０４は、使用者の幅方向に並んで形成された２つの収容部１０４が使用者の身長方向に３組並んで形成されている。
【００２４】
連結部１０６は、互いに隣接する収容部１０４同士を連結する部品であり、互いに重なり合う第１表面生地１０３ａおよび第２表面生地１０３ｂによって構成されている。この場合、連結部１０６は、互いに隣接する収容部１０４を形成する接合部１０５間に形成されて同接合部１０５間で第１表面生地１０３ａと第２表面生地１０３ｂとが互いに縫合や接着されることなく屈曲性が一様になるように形成されている。
【００２５】
この連結部１０６は、互いに隣接する２つの収容部１０４間に屈曲自在に形成されて同２つの収容部１０４間の長さが一方の収容部１０４内の敷きマット小片１０２を他方の収容部１０４内の敷きマット小片１０２の表裏のどちらの面上にも折り返して重ねることができる長さに形成されている。この場合、連結部１０６の長さは、使用者の身長方向に直交する幅方向に互いに隣接する収容部１０４間に形成された３つの連結部１０６における互いに隣接する収容部１０４間の長さである幅方向長さＬ１と、使用者の身長方向に隣接する収容部１０４間に形成された４つの連結部１０６における互いに隣接する収容部１０４間の長さである身長方向長さＬ２とで互いに長さが異なっている。すなわち、幅方向長さＬ１と身長方向長さＬ２とは、一方が他方に対して短く形成されている。
【００２６】
具体的には、幅方向長さＬ１は、敷きマット小片保持袋１０３が展開した状態（図２参照）において、幅方向に互いに隣接する３つずつの収容部１０４のうちの一方（例えば、右側）の３つの収容部１０４を他方（例えば、左側）の３つの収容部１０４上に折り返して重ねることができる長さに形成されている。この場合、幅方向長さＬ１は、敷きマット小片１０２の厚さ以上かつ同敷きマット小片１０２の厚さの２倍以下の長さに形成されるとよい。本実施形態においては、幅方向長さＬ１は、６ｃｍに形成されている。なお、幅方向長さＬ１の長さは、敷きマット小片１０２の厚さの２倍以上の長さに形成してもよいことは当然である。
【００２７】
一方、身長方向長さＬ２は、図５に示すように、敷きマット小片保持袋１０３における幅方向の右側および左側のうちの一方の収容部１０４が他方の収容部１０４上に重ねられた状態において、身長方向に互いに隣接する一方の上下２段の収容部１０４が他方の上下２段の収容部１０４上に折り返して重ねることができる長さに形成されている。この場合、身長方向長さＬ２は、敷きマット小片１０２の２倍以上かつ同敷きマット小片１０２の厚さの３倍以下の長さに形成されるとよい。本実施形態においては、身長方向長さＬ２は、１０ｃｍに形成されている。なお、身長方向長さＬ２の長さは、敷きマット小片１０２の厚さの３倍以上の長さに形成してもよいことは当然である。すなわち、本実施形態においては、幅方向長さＬ１は、身長方向長さＬ２よりも短く形成されている。
【００２８】
敷きマットカバー１１０は、敷きマット１０１を覆う部品であり、化学繊維または天然繊維からなる生地を袋状に形成して構成されている。より具体的には、敷きマットカバー１１０は、敷きマット１０１の全体を出し入れ自在に収容できるように、敷きマット１０１の立体形状に対応して板状に延びる直方体状の外観に形成されている。この場合、敷きマットカバー１１０は、複数の敷きマット小片１０２を平面状に互いに密着させた配置状態の敷きマット１０１を収容可能でかつそれ以上の大きさの敷きマット１０１を収容不能な大きさに形成されている。
【００２９】
また、敷きマットカバー１１０の側面には、敷きマット１０１を出し入れするための開口部１１１が形成されている。この場合、開口部１１１には、同開口部１１１を開閉するためのファスナーが設けられている。なお、敷きマットカバー１１０は、敷きマット１０１を覆う部分を１枚または２枚以上の生地で構成してもよいし、２枚の生地の間に綿などの繊維を詰めて弾力性を持たせて構成してもよい。
【００３０】
（寝具１００の作動）
次に、上記のように構成した寝具１００の作動について説明する。この寝具１００を使用して就寝する使用者は、まず、敷きマット１０１および敷きマットカバー１１０をそれぞれ用意する。この場合、敷きマット１０１は、６つの敷きマット小片１０２が敷きマット小片保持袋１０３の収容部１０４内にそれぞれ収容された状態で用意される。
【００３１】
次に、使用者は、敷きマット１０１を敷きマットカバー１１０内に収容して使用できる状態にする。具体的には、使用者は、敷きマット小片保持袋１０３内に保持された６つの敷きマット小片１０２を順次敷きマットカバー１１０の開口部１１１を介して敷きマットカバー１１０内に収容する。この場合、敷きマットカバー１１０は、図６に示すように、６つの敷きマット小片１０２を平面状に互いに密着させた配置状態で敷きマット１０１を収容可能でかつそれ以上の大きさの敷きマット１０１を収容不能な大きさに形成されている。
【００３２】
このため、敷きマット１０１は、敷きマットカバー１１０内において互いに隣接する敷きマット小片１０２が互いに密着した状態で収容される（図１参照）。すなわち、敷きマット１０１は、敷きマットカバー１１０内においては、連結部１０６は互いに隣接する敷きマット小片１０２の間に折り畳まれた状態で挟まれて消失する。これにより、寝具１００は、敷きマット１０１における溝状の連結部１０６が消失することで寝具１００の表裏面が凹凸のない平らな平面に形成される。
【００３３】
次に、使用者は、寝具１００上に寝て使用する。具体的には、使用者は、畳みや板間の床面上またはベッド上に配置した寝具１００上に横になる。この場合、寝具１００は、敷きマットカバー１１０が６つの敷きマット小片１０２を平面状に互いに密着させた配置状態で収容可能でかつそれ以上の大きさの敷きマット１０１を収容不能な大きさに形成されているため、使用中に敷きマット小片１０２の位置がずれることはない。また、寝具１００は、連結部１０６が互いに隣接する敷きマット小片１０２間に消失するため、使用者に対して異物感を与えることもない。
【００３４】
次に、使用者は、寝具１００の使用後は寝具１００を小さく折り畳むことができる。具体的には、使用者は、敷きマットカバー１１０内から敷きマット１０１を取り出した後、この敷きマット１０１および敷きマットカバー１１０をそれぞれ折り畳む。この場合、使用者は、平面状に展開した敷きマット１０１における幅方向に互いに隣接する３つずつの収容部１０４のうちの一方（例えば、右側）の３つの収容部１０４を他方（例えば、左側）の３つの収容部１０４上に折り返して重ねる（図５参照）。
【００３５】
次いで、使用者は、図７に示すように、敷きマット小片保持袋１０３における幅方向の右側および左側のうちの一方の収容部１０４を他方の収容部１０４上に重ねた状態において、上下２段に重ねられて身長方向に並ぶ３つの収容部１０４のうちの中央部の収容部１０４に対してそれぞれ隣接する２つの収容部１０４を同中央部の収容部１０４の上側および下側にそれぞれ折り返して重ねる。
【００３６】
これにより、敷きマット１０１は、６つの敷きマット小片１０２が積み重ねられた状態となる。すなわち、敷きマット１０１は、平面的には１枚の敷きマット小片１０２の大きさ（６５ｃｍ×４７ｃｍ）となるとともに、高さ方向には６つの敷きマット小片１０２分の厚さ（２４ｃｍ）となる。したがって、使用者は、このように６つの敷きマット小片１０２が積み重ねられた敷きマット１０１を押し入れなどの物入れに保管することができる。
【００３７】
また、使用者は、図８に示すように、敷きマット１０１を保管袋１２０内に収容することもできる。ここで、保管袋１２０は、敷きマット１０１を保管するための部品であり、６つの敷きマット小片１０２が積み重ねられた敷きマット１０１を収容可能な大きさの袋状に形成されている。本実施形態においては、保管袋１２０は、不織布を直方体状の袋状に形成して構成されている。この保管袋１２０には、上面中央部から側面に掛けて一直線上に開口部１２１が形成されている。この場合、開口部１２１には、同開口部１２１を開閉するためのファスナーが設けられている。また、保管袋１２０における互いに対向し合う２つの側面には、環状の取っ手１２２がそれぞれ設けられている。なお、図８においては、敷きマット１０１を二点鎖線で示している。
【００３８】
したがって、使用者は、６つの敷きマット小片１０２が積み重ねられた敷きマット１０１を保管袋１２０の開口部１２１を介して保管袋１２０内に収容することができる。これにより、使用者は、敷きマット１０１を保管袋１２０内に収容した状態で保管または輸送することができる。ここで、敷きマット１０１を輸送する場合、６つの敷きマット小片１０２を積み重ねることで輸送業者による輸送依頼時により小さな荷物サイズ料金で送ることができ輸送コストを下げることができる。
【００３９】
なお、敷きマットカバー１１０については、使用者は２つ折り、３つ折りまたは４つ折りなど適宜折り畳んで保管することができる。この場合、保管袋１２０は、敷きマット１０１に加えて折り畳まれた敷きマットカバー１１０も収容できる大きさに形成しておくこともできる。これによれば、使用者は、１つの保管袋１２０で敷きマット１０１および敷きマットカバー１１０をまとめて保管または輸送を行うことができる。
【００４０】
上記作動説明からも理解できるように、上記実施形態によれば、寝具１００は、敷きマット１０１を構成する複数の敷きマット小片１０２を平面状に配置した状態と互いに重ねることができる状態とで相互に変形可能に収容する敷きマット小片保持袋１０３と、複数の敷きマット小片１０２を平面状に配置した状態で収容可能な敷きマットカバー１１０とを備えているため、折り畳みおよび展開が行ない易く一体性に対する信頼性を向上させることができる。
【００４１】
さらに、本発明の実施にあたっては、上記実施形態に限定されるものではなく、本発明の目的を逸脱しない限りにおいて種々の変更が可能である。
【００４２】
例えば、上記実施形態においては、敷きマット１０１は、幅方向に２分割および身長方向に３分割した６つの敷きマット小片１０２で構成した。しかし、敷きマット１０１は、少なくとも２つ以上の敷きマット小片１０２で構成されていればよい。
【００４３】
また、上記実施形態においては、敷きマット小片１０２は、ウレタン樹脂で構成した。しかし、敷きマット小片１０２は、寝た姿勢の使用者を支持可能な板状に形成されていればよい。したがって、敷きマット小片１０２は、ウレタン樹脂以外の板状体、例えば、繊維を３次元的に絡ませて板状に成形したものや樹脂繊維または天然繊維からなる綿を板状に薄板状に形成した所謂固綿で構成することができる。また、敷きマット小片１０２は、収容部１０４内に綿や粒状物を詰めて構成することもできる。なお、敷きマット小片１０２は、弾力性を有していなくてもよいが、弾力性を有している方が好ましい。
【００４４】
また、上記実施形態においては、６つの敷きマット小片１０２を全て同じ大きさおよび形状で構成した。しかし、複数の敷きマット小片１０２は、互いに同じ大きさを含みつつまたは含むことなく互いに異なる大きさおよび形状に形成して構成することもできる。
【００４５】
また、上記実施形態においては、敷きマット小片保持袋１０３をメッシュ生地で構成した。しかし、敷きマット小片保持袋１０３は、敷きマット小片１０２を保持することができれば必ずしも上記実施形態に限定されるものではない。したがって、敷きマット小片保持袋１０３は、メッシュ生地以外の化学繊維または天然繊維からなる生地、例えば、伸縮性に富む編物（ニット、Ｗラッセル、径編（トリコット）、緯編、丸編など）、不織布またはＴ／Ｃ生地のほか、伸縮性に乏しい織物（パイル生地、綿布生地、ジャガード生地など）、綿入りキルト生地を用いることができる。
【００４６】
また、上記実施形態においては、収容部１０４は、敷きマット小片１０２の外周面に密着するように形成して収容部１０４内にて敷きマット小片１０２が移動しないように構成した。しかし、収容部１０４は、敷きマット小片１０２に対して十分に大きな空間を形成して収容部１０４内にて敷きマット小片１０２の移動を許容するように構成することもできる。
【００４７】
また、上記実施形態においては、接合部１０５は、敷きマット小片１０２の厚さ方向の中央部に形成した。しかし、接合部１０５は、敷きマット小片１０２の厚さ方向の両端部の一方に偏って形成することもできる。また、接合部１０５は、縫合以外の手法、例えば、接着や溶着によって第１表面生地１０３ａと第２表面生地１０３ｂとを接合するようにしてもよい。
【００４８】
また、上記実施形態においては、接合部１０５は、収容部１０４の周囲のみならず互いに隣接する収容部１０４間にも形成した。すなわち、接合部１０５は、連結部１０６の周囲にも形成して連結部１０６を７つの閉塞した袋状に形成した。これにより、敷きマット小片保持袋１０３は、収容部１０４を成形する際に接合部１０５を身長方向および幅方向に連続して形成することができ、生産性を向上させることができる。しかし、接合部１０５は、収容部１０４の周囲にのみ形成することもできる。
【００４９】
また、上記実施形態においては、敷きマット小片保持袋１０３は、２枚の生地である第１表面生地１０３ａおよび第２表面生地１０３ｂを袋状に形成した。しかし、敷きマット小片保持袋１０３は、１枚の生地を２つ折りにして接合することで袋状に形成することもできる。
【００５０】
また、上記実施形態においては、連結部１０６は、幅方向長さＬ１を身長方向長さＬ２よりも短く形成した。これにより、使用者は、敷きマット小片保持袋１０３を折り畳む際には、敷きマット小片保持袋１０３の身長方向に沿って折り畳んで幅方向の長さを短くした後、この敷きマット小片保持袋１０３を幅方向に沿って折り畳んで身長方向の長さを短くした。しかし、連結部１０６は、身長方向長さＬ２を幅方向長さＬ１よりも短く形成することもできる。この場合、使用者は、敷きマット小片保持袋１０３を折り畳む際には、敷きマット小片保持袋１０３を幅方向に沿って折り畳んで身長方向の長さを短くした後、この敷きマット小片保持袋１０３の身長方向に沿って折り畳んで幅方向の長さを短くする。
【００５１】
また、上記実施形態においては、敷きマット小片保持袋１０３は、互いに隣接し合う全ての収容部１０４間に連結部１０６を設けて構成した。しかし、敷きマット小片保持袋１０３は、互いに隣接し合う全ての収容部１０４間のうちの一部の収容部１０４間の連結部１０６を省略して２つの収容部１０４を分離した状態とすることができる。
【００５２】
具体的には、敷きマット小片保持袋１０３は、図９に示すように、６つの収容部１０４が連結部１０６を介して１つの線状に連なるように繋がるとともに同線状にある６つの収容部１０４のうちの両端に位置する２つの収容部１０４についてそれぞれ身長方向に対向する収容部１０４との間に両者を分離する分割部１３０を形成して構成することができる。これによれば、寝具１００は、互いに隣接する全ての収容部１０４が連結部１０６によって連結されている場合に比べて折り畳みおよび展開の各作業を行い易くして作業性を向上させることができるとともに重量も軽くすることができる。
【００５３】
なお、分割部１３０は、全ての収容部１０４が連結部１０６を介して１つに繋がって形成されていればその形成位置はどの収容部１０４間であってもよい。すなわち、敷きマット小片保持袋１０３は、収容部１０４が少なくとも３つ以上設けられており、これら３つ以上の各収容部１０４うちで互いに隣接する２つの収容部１０４を分離する分割部１３０を有しつつ同３つ以上の各収容部１０４のすべてが連結部１０６を介して一体的に繋がっていればよい。
【００５４】
また、上記実施形態においては、敷きマットカバー１１０は、敷きマット１０１の全体を収容して覆う袋状に形成した。しかし、敷きマットカバー１１０は、敷きマット１０１における少なくとも使用者が横になる上面を覆いつつ敷きマット小片１０２の位置ずれを規制できるように構成されていればよい。
【００５５】
したがって、敷きマットカバー１１０は、例えば、図１０に示すように、敷きマット１０１の上面を覆う平面視で方形状のシート体の四隅にバンド１１２を備えて構成することができる。この場合、バンド１１２は、平面的に集合させた複数の敷きマット小片１０２の四隅に引っ掛けて各敷きマット小片１０２の位置ずれを防止するものである。
【００５６】
また、上記実施形態においては、寝具１００は、敷布団として構成した。しかし、寝具１００は、ベッド上に配置されるマットレスとしても構成することができるものである。
【符号の説明】
【００５７】
Ｌ１…連結部の幅方向長さ、Ｌ２…連結部の身長方向長さ、
１００…寝具、
１０１…敷きマット、１０２…敷きマット小片、１０３…敷きマット小片保持袋、１０３ａ…第１表面生地、１０３ｂ…第２表面生地、１０４…収容部、１０５…接合部、１０６…連結部、
１１０…敷きマットカバー、１１１…開口部、１１２…バンド、
１２０…保管袋、１２１…開口部、１２２…取っ手、
１３０…分割部。
【図１】
2019170758.tif 000003
【図２】
2019170758.tif 000004
【図３】
2019170758.tif 000005
【図４】
2019170758.tif 000006
【図５】
2019170758.tif 000007
【図６】
2019170758.tif 000008
【図７】
2019170758.tif 000009
【図８】
2019170758.tif 000010
【図９】
2019170758.tif 000011
【図１０】
2019170758.tif 000012